(57)【要約】【課題】筋肉や関節、脊椎周辺の痛みやしびれは、１点に集中するものではなく、ある程度の幅を持って存在している。その流れや幅に合わせて一定の幅を持ちながら加温すれば治療効果が上がると思われる。従来品は加温点が１点のものが多くサイズが大きいものであった。そのため、手足の指関節や膝間接、眼元付近など細部の治療点に対し加温が難しい問題があった。【解決手段】開脚幅が調整、維持できる加温点を２点持つことで、ある程度の幅を持って存在する筋肉や関節周辺の痛みに対し、その流れや幅に合わせて加温ができる。加熱点の形状は、局所の治療部位に対し垂直に押し当てることや、広い部位に対しその加温面をスライドさせながら押し当てることも可能とした。加温点の大きさは、小さな楕円球状としたことで、手足の指関節や膝間接、眼元付近、歯肉など、細部の治療点に対しても加温が可能とした。熱源については、電気による熱であるため安全である。【選択図】図１
2011224238.tif 000002
【特許請求の範囲】
【請求項１】
電気熱による加熱点を2本の腕の先端部分に持つ、ハンディータイプの温熱治療機器であって、その2点の加温点は、開脚点（本体）で支えられた腕により開脚幅を調整、維持できる機能とし、また、その腕には、同様に開脚点（腕）を備え、先端部分の加熱点の角度も調整可能とした温熱治療機器
【請求項２】
前記温熱治療機器の大きさは、片手に収まる程度とすることで、箸を持つような感覚で加熱点の操作を可能とする。そして、前記加熱点の形状は、先端部分に緩やかな平面部分を持ち、局所の治療部位に対し垂直に押し当てることを可能とし、また中腹部は、緩やかな曲線と直線部分を持ち、広い治療部位に対しその加温面をスライドさせながら押し当てることも可能とした。また、前記加温点の大きさは、長さ２０mm〜４０mm
程度、幅１５mm 程度とすることで、手足の指関節や膝間接、眼元・瞼付近など（応用として、口腔内の歯肉など）、細部の治療点に対しても、加温が可能とした請求工１記載の温熱治療機器
【発明の詳細な説明】
【技術分野】
【０００１】
本発明は、筋肉や関節、脊椎周辺（筋骨格系）の痛みやしびれに対し、その流れや幅に合わせて加温できるように、２点の開閉可能な加温点を持ち、ハンディータイプとした温熱治療機器に関するものである。
【０００２】
熱源については、電気による熱であるため、髪が生えている首筋や頭皮に対しても治療が可能とした温熱治療機器に関するものである。
筋骨格系の痛みやしびれの治療以外に、眼科領域では、眼精疲労対策として眼元や瞼付近への温熱治療、歯科領域では、歯周病対策として歯肉などの温熱療法、その他膀胱炎・前立腺炎対策としての部位加温、発毛・育毛対策としての頭皮加温など、温熱治療で効果が期待される幅広い部位への適応が考えられる。
【背景技術】
【０００３】
従来から、温灸器や温熱治療器の名称で、神経痛や筋肉痛を和らげる等の治療効果を目的とした治療機器が開発され、実用化されている。
【０００４】
これらの従来品は加温点が１点のものが多く、サイズが大きいものであった。そのため、手足の指関節や膝間接、眼元・瞼付近など、細部の治療点に対し加温が難しい問題があった。特開２００３−２５０８６１号（特許文献１）、特開２００７−１４６７９号（特許文献２）、特開２００４−０４１５３０号（特許文献３）
【０００５】
加温点が１点のものには、指圧突部と鍼の効果かを期待した回転板小突起を持つものもある。特開２００４−３０５２７８号（特許文献４）
【０００６】
加温点が２点あるものもあるが、同様にサイズが大きく、その２点の加温点の幅調整も限定されたものであった。特開２００７−１５１７９０号（特許文献５）、特開平１１−２０６８４８号（特許文献６）
【０００７】
また一方、熱源については、電気による熱であるため、もぐさを利用した灸のような燃焼熱による治療と異なり安全である。特開２００６−３３３８８１号（特許文献７）
【先行技術文献】
【特許文献】
【０００８】
【特許文献１】特開２００３−２５０８６１号  公報
【特許文献２】特開２００７−１４６７９号  公報
【特許文献３】特開２００４−０４１５３０号  公報
【特許文献４】特開２００４−３０５２７８号  公報
【特許文献５】特開２００７−１５１７９０号  公報
【特許文献６】特開平１１−２０６８４８号  公報
【特許文献７】特開２００６−３３３８８１号  公報
【非特許文献】
【０００９】
【非特許文献１】ケンコードー、“温灸＆振動がきもちいい！マルタカ 家庭用 電気温灸器 ONQ-01”、［online］、平成18年、ケンコードー、［平成22年4月10日検索］、インターネット〈URL：http://store.shopping.yahoo.co.jp/kenko-do/k-015.html〉
【非特許文献２】Zakkhonpo.com、“温ねつ灸”、［online］、平成15年、Zakkhonpo、［平成22年4月10日検索］、インターネット〈URL：http://www.zakkahonpo.com/okyu.html〉
【非特許文献３】株式会社日本理工医学研究所、“ホットブルーン”、［online］、［平成22年4月10日検索］、インターネット〈URL：http://www.nihonriko.co.jp/product/product_03.html〉
【非特許文献４】株式会社ななみ、“コードレス家庭用赤外線治療器 ホットウェーバー”、［online］、平成22年4月10日検索］、インターネット〈URL：http://www.773.co.jp/hotwaver/seihingaiyo.html〉
【非特許文献５】株式会社シービーエム、“皇帝灸 電気温灸器”、［online］、平成21年、株式会社シービーエム、［平成22年4月10日検索］、インターネット〈URL：http://www.kouteikyu.com/syouhin.html〉
【非特許文献６】株式会社日本理工医学研究所、“電気温灸器「指圧灸」”、［online］、［平成22年4月10日検索］、インターネット〈URL：http://www.nihonriko.co.jp/product/product_09.html〉
【発明の概要】
【発明が解決しようとする課題】
【００１０】
筋肉や関節、脊椎周辺（筋骨格系）の痛みやしびれは、１点に集中するものではなく、ある程度幅を持って存在している。その流れや幅に合わせて一定の幅を保ちながら加温すれば、治療効果が上がるものと思われる。
【００１１】
従来品に見られるように加温点が大きい場合は、手足の指関節や膝間接、眼元・瞼付近など、細部の治療点に対し治療を施すことが難しい。
【課題を解決するための手段】
【００１２】
電気熱による加温点１を２点持ち、その腕２を開脚点（本体）３により支えることで、開脚幅を調整、維持できる機能とした。
【００１３】
腕２の部分には、同様に開脚点（腕）４を備え、先端部分の加温点１の角度を調整可能とした。
【００１４】
大きさは、片手に収まる程度とすることで、箸を持つような感覚で加温点１の開閉操作を可能とし、押し当てたりスライドさせたりすることが容易である。（ハンディータイプ）
【００１５】
加熱点１の形状は、先端部分は緩やかな平面部分を持ち、局所の治療部位に対し垂直に押し当てることを可能とし、また中腹部は、緩やかな曲線と直線部分を持ち、広い治療部位に対しその加温面をスライドさせながら押し当てることを可能とした。
【００１６】
加温点１の大きさは、長さ２０mm〜４０mm
程度、幅１５mm 程度とすることで、手足の指関節や膝間接、眼元・瞼付近など（応用として、口腔内の歯肉など）、細部の治療点に対しても、加温が可能とした。
【００１７】
熱源は電力によるものであり、温度調節レバー５は、電源コード６から供給される電力を調整し、加温点１の温度を調整する。（温度調節レバーの設置場所は、ACアダプターから電源コード内も含み設計可能）
【発明の効果】
【００１８】
本発明は、ある程度の幅を持って存在する筋肉や関節周辺の痛み、しびれに対し、その流れや幅に合わせて、ある程度の幅を保ちながら加温できる温熱治療機器である。
【００１９】
また、大きさは、片手に収まる程度とすることで、箸を持つような感覚で加温点の開閉操作を可能とし、押し当てたりスライドさせたりすることを容易としたハンディータイプの温熱治療機器である。
【００２０】
加温点１の大きさを、小さな楕円状球としたことで、手足の指関節や膝間接、眼元・瞼付近など（応用として、口腔内の歯肉など）、細部の治療点に対しても、加温が可能とした。
【００２１】
熱源については、電気による熱であるため、髪が生えている首筋や頭皮などの治療部位に対しても、治療が可能である。
【図面の簡単な説明】
【００２２】
【図１】本発明の正面図である。
【図２】本発明の開脚点（本体）の断面図である。          （Ａ）開脚点（本体）の右側面          （Ｂ）開脚点（本体）          （Ｃ）開脚点（本体）の左側面
【発明を実施するための形態】
【００２３】
以下に、本発明の実施の形態を図１〜図２に基づいて説明する。
【００２４】
加温点１を持つ腕２は、開閉点（本体）３によりその２本を結びつけ、開脚構造の如く開閉を可能な形状とする。
【００２５】
腕２の部分にも、開脚点（腕）４を備える。
【００２６】
全体の大きさは、片手に収まるサイズとする。
【００２７】
加温点１の形状は、先端部分は緩やかな平面部分を持ち、また中腹部は、緩やかな曲線と直線部分を持ち、長さは２０mm〜４０mm
程度、幅１５mm 程度とする。
【００２８】
温度調節レバー５に、電源コード６がつながっている。
【符号の説明】
【００２９】
１  加熱点
２  腕
３  開脚点（本体）
４  開脚点（腕）
５  温度調節レバー
６  電源コード
【図１】
2011224238.tif 000003
【図２】
2011224238.tif 000004